(57)【特許請求の範囲】
【請求項１】
ワイヤレス通信のための装置において、
第１の帯域を介して、第２の装置との第１のリンクを確立するようにと、
トンネリングプロトコルを使用して、第２の帯域を介して、前記第２の装置との第２のリンクを確立するようにと、
前記第１のリンクまたは前記第２のリンクのうちの少なくとも１つを介して、前記第２の装置からデータを受信するようにと、
前記第１のリンクまたは前記第２のリンクのうちの少なくとも１つを介して、前記第２の装置にデータを提供するように構成されている処理システムを具備し、
前記第１のリンクは、第１の媒体アクセス制御（ＭＡＣ）アドレスに関係付けられ、
前記トンネリングプロトコルは、前記第１のリンクを使用して、前記第２のリンクを確立し、前記第２のリンクは、第２のＭＡＣアドレスに関係付けられ、
前記第１のリンクを介して受信されるデータ、または、前記第１のリンクを介して提供されるデータは、前記第１のＭＡＣアドレスを含み、
前記第２のリンクを介して受信されるデータ、または、前記第２のリンクを介して提供されるデータは、前記第２のＭＡＣアドレスを含み、
前記処理システムは、
前記第１のリンクを前記第２のリンクにバインディングして、前記第１の帯域と前記第２の帯域とを介して、前記第２の装置から前記データを受信するように、または、前記第２の装置に前記データを提供するようにさらに構成されている装置。
【請求項２】
前記第２のリンクに関係付けられている前記第２のＭＡＣアドレスは、前記第１のリンクを介して、前記第２の装置に提供されるか、または、前記第２の装置から受信される請求項１記載の装置。
【請求項３】
前記装置は、ゲートウェイに接続されるように構成されており、
前記処理システムは、前記第２のリンクに関係付けられている前記第２のＭＡＣアドレスを前記ゲートウェイのＭＡＣアドレスに設定することによって、受信するように、または、提供するように構成されており、
前記第２のリンクを介して、前記第２の装置から受信されるデータ、または、前記第２の装置に提供されるデータは、前記ゲートウェイの前記ＭＡＣアドレスを含む請求項１記載の装置。
【請求項４】
前記処理システムは、暗号化されたトークンを作成することによって、前記第１のリンクを確立するように構成されており、
前記処理システムは、前記暗号化されたトークンの知識を確認するメッセージを、前記第２の装置から、前記第２の帯域を介して受信することによって、バインディングするように構成されている請求項１記載の装置。
【請求項５】
少なくとも１つのアンテナをさらに具備し、前記少なくとも１つのアンテナを介して、前記第１のリンクと前記第２のリンクとが確立され、前記装置はワイヤレスノードとして構成されている請求項１記載の装置。
【請求項６】
装置におけるワイヤレス通信の方法において、
第１の帯域を介して、第２の装置との第１のリンクを確立することと、
トンネリングプロトコルを使用して、第２の帯域を介して、前記第２の装置との第２のリンクを確立することと、
前記第１のリンクまたは前記第２のリンクのうちの少なくとも１つを介して、前記第２の装置からデータを受信することと、
前記第１のリンクまたは前記第２のリンクのうちの少なくとも１つを介して、前記第２の装置にデータを提供することとを含み、
前記第１のリンクは、第１の媒体アクセス制御（ＭＡＣ）アドレスに関係付けられ、
前記トンネリングプロトコルは、前記第１のリンクを使用して、前記第２のリンクを確立し、前記第２のリンクは、第２のＭＡＣアドレスに関係付けられ、
前記第１のリンクを介して受信されるデータ、または、前記第１のリンクを介して提供されるデータは、前記第１のＭＡＣアドレスを含み、
前記第２のリンクを介して受信されるデータ、または、前記第２のリンクを介して提供されるデータは、前記第２のＭＡＣアドレスを含み、
前記第１のリンクを前記第２のリンクにバインディングして、前記第１の帯域と前記第２の帯域とを介して、前記第２の装置から前記データを受信することを、または、前記第２の装置に前記データを提供することをさらに含む方法。
【請求項７】
前記第１のリンクを確立することは、前記第１のリンクに対する第１の暗号化キーを確立することを含み、
前記第２のリンクを確立することは、前記第２のリンクに対する第２の暗号化キーを確立することを含む請求項６記載の方法。
【請求項８】
前記第２のリンクに関係付けられている前記第２のＭＡＣアドレスは、前記第１のリンクを介して、前記第２の装置に提供されるか、または、前記第２の装置から受信される請求項６記載の方法。
【請求項９】
前記装置は、ゲートウェイに接続されるように構成されており、
前記受信すること、または、前記提供することは、
前記第２のリンクに関係付けられている前記第２のＭＡＣアドレスを前記ゲートウェイのＭＡＣアドレスに設定することを含み、
前記第２のリンクを介して、前記第２の装置から受信されるデータ、または、前記第２の装置に提供されるデータは、前記ゲートウェイの前記ＭＡＣアドレスを含む請求項６記載の方法。
【請求項１０】
前記データの少なくとも第１の部分は、前記第１の帯域を介して受信されるか、または、前記第１の帯域を介して提供され、前記データの少なくとも第２の部分は、前記第２の帯域を介して受信されるか、または、前記第２の帯域を介して提供される請求項６記載の方法。
【請求項１１】
前記第１のリンクを確立することは、暗号化されたトークンを作成することを含み、
前記バインディングすることは、前記暗号化されたトークンの知識を確認するメッセージを、第２の装置から、前記第２の帯域を介して受信することを含む請求項６記載の方法。
【請求項１２】
前記バインディングすることは、前記第１の帯域と前記第２の帯域とを介して、前記データを受信すること、または、前記データを提供することのために、同一のＭＡＣアドレスを利用することを含む請求項６記載の方法。
【請求項１３】
請求項６ないし請求項１２のうちの１項記載の方法のすべてのステップを実現するようにコンピュータ実行可能であるプログラム命令を具備するコンピュータプログラム。
【発明の詳細な説明】
【関連出願への相互参照】
【０００１】
［０００１］
本願は、「ＴＤＬＳによるマルチチャネルリンク集約」と題され２０１４年４月３日に出願された、米国特許出願番号第１４／２４４，７３５号の利益を主張し、ここにその全体が参照によって明示的に組み込まれている。
【背景】
【０００２】
［分野］
［０００２］
本開示は、一般的に、通信システムに関連し、さらに特に、ワイヤレス通信システムにおいて、トンネリングされたダイレクトリンクセットアップ（ＴＤＬＳ）動作を使用して、複数のチャネルリンクを集約することに関連する。本開示は、ワイヤレス通信システムにおいて、複数の帯域アソシエーションを使用して、複数のチャネルリンクを集約することにさらに関連する。
【０００３】
［背景］
［０００３］
多くの電気通信システムにおいて、通信ネットワークは、いくつかの相互対話する空間的に隔てられたデバイス間でメッセージを交換するのに使用される。ネットワークは、地理的範囲にしたがって分類されてもよく、地理的範囲は、例えば、メトロポリタンエリア、ローカルエリア、パーソナルエリアであってもよい。このようなネットワークは、ワイドエリアネットワーク（ＷＡＮ）、メトロポリタンエリアネットワーク（ＭＡＮ）、ローカルエリアネットワーク（ＬＡＮ）、ワイヤレスローカルエリアネットワーク（ＷＬＡＮ）、または、パーソナルエリアネットワーク（ＰＡＮ）として、それぞれ表されるだろう。ネットワークは、さまざまなネットワークノードおよびデバイスを相互接続するために使用されるスイッチング／ルーティング技術（例えば、回線スイッチング対パケットスイッチング）にしたがって、送信のために用いられる物理媒体のタイプ（例えば、ワイヤード対ワイヤレス）にしたがって、使用される通信プロトコルのセット（例えば、インターネットプロトコルスーツ、同期光ネットワーキング（ＳＯＮＥＴ）、イーサネット（登録商標）等）にしたがって、も異なる。
【０００４】
［０００４］
ネットワークエレメントが移動体であり、したがって、動的接続性のニーズを有するとき、または、ネットワークアーキテクチャが固定的よりもむしろアドホックのトポロジーにおいて形成される場合に、ワイヤレスネットワークが好まれることが多い。ワイヤレスネットワークは、無線、マイクロ波、赤外線、光等の周波数帯域における電磁波を使用する、無誘導伝搬モードにおいて無形物理媒体を用いる。ワイヤレスネットワークは、固定されたワイヤードネットワークと比較されるとき、ユーザの移動性および迅速なフィールド配備を有利に促進する。
【概要】
【０００５】
［０００５］
発明のシステム、方法、およびデバイスは、それぞれ、いくつかの態様を有しており、これらのうちのいずれも、その望ましい属性を単独で担うことはない。後続する特許請求の範囲により表した本発明の範囲を限定することなく、いくつかの特徴をこれから簡単に議論する。この議論を考慮した後に、および、特に「詳細な説明」と題されたセクションを読んだ後に、本発明の特徴が、ワイヤレスネットワーク中のデバイスに対する改善された狭帯域チャネル選択を含む利点をどのように提供するかを理解するだろう。
【０００６】
［０００６］
本開示の１つの態様は、処理システムを含む、ワイヤレス通信のための装置を提供する。処理システムは、第１の帯域を介して、第２の装置との第１のリンクを確立するようにと、トンネリングプロトコルを使用して、第２の帯域を介して、第２の装置との第２のリンクを確立するようにと、第１のリンクまたは第２のリンクのうちの少なくとも１つを介して、第２の装置からデータを受信するようにと、第１のリンクまたは第２のリンクのうちの少なくとも１つを介して、第２の装置にデータを提供するように構成されており、第１のリンクは、第１の媒体アクセス制御（ＭＡＣ）アドレスに関係付けられ、トンネリングプロトコルは、第１のリンクを使用して、第２のリンクを確立し、第２のリンクは、第２のＭＡＣアドレスに関係付けられ、第１のリンクを介して受信されるデータ、または、第１のリンクを介して提供されるデータは、第１のＭＡＣアドレスを含み、第２のリンクを介して受信されるデータ、または、第２のリンクを介して提供されるデータは、第２のＭＡＣアドレスを含む。処理システムは、第１の帯域を介して第２の装置との第１のアソシエーションを実行して第１のリンクを確立し、第２の帯域を介して第２の装置との第２のアソシエーションを実行して第２のリンクを確立し、第１のリンクを第２のリンクにバインディングして、第１の帯域と第２の帯域とを介して、第２の装置からデータを受信／第２の装置にデータを提供するようにも構成されていてもよい。
【０００７】
［０００７］
本開示の別の態様は、装置におけるワイヤレス通信の方法を提供する。方法は、第１の帯域を介して、第２の装置との第１のリンクを確立することと、トンネリングプロトコルを使用して、第２の帯域を介して、第２の装置との第２のリンクを確立することと、第１のリンクまたは第２のリンクのうちの少なくとも１つを介して、第２の装置からデータを受信することと、第１のリンクまたは第２のリンクのうちの少なくとも１つを介して、第２の装置にデータを提供することとを含み、第１のリンクは、第１の媒体アクセス制御（ＭＡＣ）アドレスに関係付けられ、トンネリングプロトコルは、第１のリンクを使用して、第２のリンクを確立し、第２のリンクは、第２のＭＡＣアドレスに関係付けられ、第１のリンクを介して受信されるデータ、または、第１のリンクを介して提供されるデータは、第１のＭＡＣアドレスを含み、第２のリンクを介して受信されるデータ、または、第２のリンクを介して提供されるデータは、第２のＭＡＣアドレスを含む。装置における別の方法は、第１の帯域を介して第２の装置との第１のアソシエーションを実行して第１のリンクを確立することと、第２の帯域を介して第２の装置との第２のアソシエーションを実行して第２のリンクを確立することと、第１のリンクを第２のリンクにバインディングして、第１の帯域と第２の帯域とを介して、第２の装置からデータを受信／第２の装置にデータを提供することとを含んでいてもよい。
【０００８】
［０００８］
本開示の１つの態様は、ワイヤレス通信の装置を提供する。装置は、第１の帯域を介して、第２の装置との第１のリンクを確立する手段と、トンネリングプロトコルを使用して、第２の帯域を介して、第２の装置との第２のリンクを確立する手段と、第１のリンクまたは第２のリンクのうちの少なくとも１つを介して、第２の装置からデータを受信する手段と、第１のリンクまたは第２のリンクのうちの少なくとも１つを介して、第２の装置にデータを提供する手段とを含み、第１のリンクは、第１の媒体アクセス制御（ＭＡＣ）アドレスに関係付けられ、トンネリングプロトコルは、第１のリンクを使用して、第２のリンクを確立し、第２のリンクは、第２のＭＡＣアドレスに関係付けられ、第１のリンクを介して受信されるデータ、または、第１のリンクを介して提供されるデータは、第１のＭＡＣアドレスを含み、第２のリンクを介して受信されるデータ、または、第２のリンクを介して提供されるデータは、第２のＭＡＣアドレスを含む。装置は、第１の帯域を介して第２の装置との第１のアソシエーションを実行して第１のリンクを確立する手段と、第２の帯域を介して第２の装置との第２のアソシエーションを実行して第２のリンクを確立する手段と、第１のリンクを第２のリンクにバインディングして、第１の帯域と第２の帯域とを介して、第２の装置からデータを受信／第２の装置にデータを提供する手段とを含んでいてもよい。
【０００９】
［０００９］
本開示の別の態様は、装置におけるワイヤレス通信のためのコンピュータプログラムプロダクトを提供する。コンピュータプログラムプロダクトは、第１の帯域を介して、第２の装置との第１のリンクを確立するための実行可能な命令と、トンネリングプロトコルを使用して、第２の帯域を介して、第２の装置との第２のリンクを確立するための実行可能な命令と、第１のリンクまたは第２のリンクのうちの少なくとも１つを介して、第２の装置からデータを受信するための実行可能な命令と、第１のリンクまたは第２のリンクのうちの少なくとも１つを介して、第２の装置にデータを提供するための実行可能な命令とを有するコンピュータ読取可能な媒体を具備し、第１のリンクは、第１の媒体アクセス制御（ＭＡＣ）アドレスに関係付けられ、トンネリングプロトコルは、第１のリンクを使用して、第２のリンクを確立し、第２のリンクは、第２のＭＡＣアドレスに関係付けられ、第１のリンクを介して受信されるデータ、または、第１のリンクを介して提供されるデータは、第１のＭＡＣアドレスを含み、第２のリンクを介して受信されるデータ、または、第２のリンクを介して提供されるデータは、第２のＭＡＣアドレスを含む。コンピュータ読取可能な媒体は、第１の帯域を介して第２の装置との第１のアソシエーションを実行して第１のリンクを確立するための実行可能な命令と、第２の帯域を介して第２の装置との第２のアソシエーションを実行して第２のリンクを確立するための実行可能な命令と、第１のリンクを第２のリンクにバインディングして、第１の帯域と第２の帯域とを介して、第２の装置からデータを受信／第２の装置にデータを提供するための実行可能な命令とをさらに有していてもよい。
【００１０】
［００１０］
本開示のさらなる態様は、ワイヤレス通信のためのワイヤレスノードを提供する。ワイヤレスノードは、少なくとも１つのアンテナと、処理システムとを含む。処理システムは、第１の帯域を介して、第２のワイヤレスノードとの第１のリンクを、少なくとも１つのアンテナを介して確立するようにと、トンネリングプロトコルを使用して、第２の帯域を介して、第２のワイヤレスノードとの第２のリンクを、少なくとも１つのアンテナを介して確立するようにと、少なくとも１つのアンテナを使用して、第１のリンクまたは第２のリンクのうちの少なくとも１つを介して、第２のワイヤレスノードからデータを受信するようにと、少なくとも１つのアンテナを使用して、第１のリンクまたは第２のリンクのうちの少なくとも１つを介して、第２のワイヤレスノードにデータを提供するように構成されており、第１のリンクは、第１の媒体アクセス制御（ＭＡＣ）アドレスに関係付けられ、トンネリングプロトコルは、第１のリンクを使用して、第２のリンクを確立し、第２のリンクは、第２のＭＡＣアドレスに関係付けられ、第１のリンクを介して受信されるデータ、または、第１のリンクを介して提供されるデータは、第１のＭＡＣアドレスを含み、第２のリンクを介して受信されるデータ、または、第２のリンクを介して提供されるデータは、第２のＭＡＣアドレスを含む。
【００１１】
［００１１］
処理システムは、少なくとも１つのアンテナを使用して、第１の帯域を介して第２のワイヤレスノードとの第１のアソシエーションを実行して第１のリンクを確立し、少なくとも１つのアンテナを使用して、第２の帯域を介して第２のワイヤレスノードとの第２のアソシエーションを実行して第２のリンクを確立し、第１のリンクを第２のリンクにバインディングして、第１の帯域と第２の帯域とを介して、第２のワイヤレスノードからデータを受信／第２の装置にデータを提供するようにも構成されていてもよい。
【図面の簡単な説明】
【００１２】
【図１】［００１２］  図１は、本開示の態様が用いられてもよい、例示的なワイヤレス通信システムを示している。
【図２】［００１３］  図２は、図１のワイヤレス通信システム内で用いられてもよい、例示的なワイヤレスデバイスの機能ブロックダイヤグラムを示している。
【図３Ａ】［００１４］  図３Ａは、実施形態にしたがった、ＴＤＬＳを使用するリンク集約の例を図示しているダイヤグラムである。
【図３Ｂ】［００１５］  図３Ｂは、実施形態にしたがった、ＴＤＬＳを使用するリンク集約の例を図示しているダイヤグラムである。
【図４】［００１６］  図４は、実施形態にしたがった、仮想ＳＴＡとＳＴＡとの間のオフチャネルＴＤＬＳリンクを生成させる例を図示しているダイヤグラムである。
【図５】［００１７］  図５は、実施形態にしたがった、複数帯域アソシエーションを使用するリンク集約の例を図示しているダイヤグラムである。
【図６】［００１８］  図６は、実施形態にしたがった、複数帯域を介してＡＰとＳＴＡとを関係付け、複数アソシエーションをバインディングする例を図示しているダイヤグラムである。
【図７】［００１９］  図７は、ワイヤレス通信の例示的な方法のフローチャートである。
【図８】［００２０］  図８は、ワイヤレス通信の例示的な方法のフローチャートである。
【図９】［００２１］  図９は、例示的なワイヤレス通信デバイスの機能ブロックダイヤグラムである。
【詳細な説明】
【００１３】
［００２２］
添付した図面を参照して、新規なシステム、装置、および方法のさまざまな態様を以下でより完全に説明する。しかしながら、この開示は、多くの異なる形態で具現化してもよく、この開示全体を通して提示される、何らかの特定の構造または機能に限定されるものとして解釈すべきではない。むしろ、この開示が、徹底的および完全になるように、および、本開示の範囲を当業者に完全に伝えるように、これらの態様を提供する。本開示の範囲が、ここで開示した新規なシステム、装置、および方法の任意の態様を、本発明の他の何らかの態様と無関係に実現するかまたは本発明の他の何らかの態様と組み合わせて実現するかにかかわらずカバーすることを意図していることを、ここでの教示に基づいて当業者は正しく認識すべきである。例えば、ここで明らかにする任意の数の態様を使用して、装置を実現してもよい、または、方法を実施してもよい。さらに、ここで明らかにする本発明のさまざまな態様に加えて、または、ここで明らかにする発明のさまざまな態様以外の、他の構造、機能性、または、構造および機能性を使用して実施される、このような装置または方法をカバーすることを、本発明の範囲は意図している。ここで開示する任意の態様は、請求項のうちの１つ以上のエレメントによって具現化してもよいことを理解すべきである。
【００１４】
［００２３］
特定の態様をここで説明するが、これらの態様の多くのバリエーションおよび置換は本開示の範囲内に入る。好ましい態様のいくつかの利益および利点に言及するが、本開示の範囲が、特定の利益、使用、または目的に限定されることを意図していない。むしろ、本開示の態様は、異なるワイヤレス技術、システムコンフィギュレーション、ネットワーク、および送信プロトコルに広く適用可能であるように意図しており、そのうちのいくつかを、例として、図面中で、および、好ましい態様の以下の説明中で示している。詳細な説明および図は、限定よりむしろ、本開示の単なる例示であり、本開示の範囲は、添付の特許請求の範囲およびそれらの均等物により規定される。
【００１５】
［００２４］
人気のあるワイヤレスネットワーク技術は、さまざまなタイプのワイヤレスローカルエリアネットワーク（ＷＬＡＮ）を含んでいるかもしれない。ＷＬＡＮは、広く使用されるネットワーキングプロトコルを用いて、近くのデバイスを互いに相互接続するのに使用してもよい。ここで説明するさまざまな態様は、ワイヤレスプロトコルのような、任意の通信標準規格に適用してもよい。
【００１６】
［００２５］
いくつかの態様において、ワイヤレス信号は、直交周波数分割多重（ＯＦＤＭ）通信、直接シーケンススペクトラム拡散（ＤＳＳＳ）通信、ＯＦＤＭ通信とＤＳＳＳ通信との組み合わせ、または、他のスキームを使用して、８０２．１１プロトコルにしたがって送信してもよい。８０２．１１プロトコルのインプリメンテーションは、センサ、計測、およびスマートグリッドネットワークに対して使用してもよい。有利なことに、８０２．１１プロトコルを実現するあるデバイスの態様は、他のワイヤレスプロトコルを実現するデバイスよりも、より少ない電力を消費するかもしれない、ならびに／あるいは、例えば約１キロメートルまたは１キロメートルより長い、比較的長い範囲に渡ってワイヤレス信号を送信するのに使用されるかもしれない。
【００１７】
［００２６］
いくつかのインプリメンテーションにおいて、ＷＬＡＮは、ワイヤレスネットワークにアクセスするコンポーネントであるさまざまなデバイスを含む。例えば、アクセスポイント（「ＡＰ」）とクライアント（局または「ＳＴＡ」としても呼ばれる）との２つのタイプのデバイスがあってもよい。一般的に、ＡＰは、ＷＬＡＮに対するハブまたは基地局として機能してもよく、ＳＴＡは、ＷＬＡＮのユーザとして機能してもよい。例えば、ＳＴＡはラップトップコンピュータ、パーソナルデジタルアシスタント（ＰＤＡ）、移動体電話機等であってもよい。例において、ＳＴＡは、ＷｉＦｉ（登録商標）（例えば、ＩＥＥＥ８０２．１１プロトコル）準拠ワイヤレスリンクを介してＡＰに接続して、インターネットへのまたは他のワイドエリアネットワークへの一般的な接続性を取得する。いくつかのインプリメンテ―ションにおいて、ＳＴＡもＡＰとして使用してもよい。
【００１８】
［００２７］
アクセスポイント（「ＡＰ」）は、ノードＢ、無線ネットワーク制御装置（「ＲＮＣ」）、ｅノードＢ、基地局制御装置（「ＢＳＣ」）、基地トランシーバ局（「ＢＴＳ」）、基地局（「ＢＳ」）、トランシーバ機能（「ＴＦ」）、無線ルータ、無線トランシーバ、または、他の何らかの専門用語も含んでいてもよく、これらのものとして実現してもよく、あるいは、これらのものとして知られていてもよい。
【００１９】
［００２８］
局（「ＳＴＡ」）は、アクセス端末（「ＡＴ」）、加入者局、加入者ユニット、移動局、遠隔局、遠隔端末、ユーザ端末、ユーザエージェント、ユーザデバイス、ユーザ機器、または、他の何らかの専門用語も含んでいてもよく、これらのものとして実現してもよく、あるいは、これらのものとして知られていてもよい。いくつかのインプリメンテーションにおいて、アクセス端末は、セルラ電話機、コードレス電話機、セッション開始プロトコル（「ＳＩＰ」）電話機、ワイヤレスローカルループ（「ＷＬＬ」）局、パーソナルデジタルアシスタント（「ＰＤＡ」）、ワイヤレス接続能力を有するハンドヘルドデバイス、または、ワイヤレスモデムに接続される他の何らかの適切な処理デバイスを含んでいてもよい。したがって、ここで教示する１つ以上の態様は、電話機（例えば、セルラ電話機またはスマートフォン）中に、コンピュータ（例えば、ラップトップ）中に、ポータブル通信デバイス中に、ヘッドセット中に、ポータブルコンピューティングデバイス（例えば、パーソナルデータアシスタント）中に、エンターテインメントデバイス（例えば、音楽デバイスまたはビデオデバイス、あるいは、衛星ラジオ）中に、ゲームデバイスまたはシステム中に、グローバルポジショニングシステムデバイス中に、あるいは、ワイヤレス媒体を介して通信するように構成されている他の何らかの適切なデバイス中に、組み込んでもよい。
【００２０】
［００２９］
用語「関係付ける」、または、「アソシエーション」、または、これらの何らかの変形には、本開示の文脈内で可能である最も広い意味が与えられる。例として、第１の装置が第２の装置に関係付けられているとき、２つの装置は、直接関係付けられていても、または、中間の装置が存在していてもよいことを理解すべきである。簡潔さの目的で、２つの装置の間のアソシエーションを確立させるプロセスは、他の装置による「アソシエーション応答」が後に続く、装置のうちの１つによる「アソシエーション要求」を要求するハンドシェークプロトコルを使用して説明されるだろう。ハンドシェークプロトコルは、例として、認証を提供するためのシグナリングのような他のシグナリングを要求するかもしれないことが、当業者によって理解されるだろう。
【００２１】
［００３０］
「第１」、「第２」等のような呼称を使用するここでのエレメントの任意の参照は、一般的に、これらのエレメントの量または順序を限定するものではない。むしろ、これらの呼称は、２つ以上のエレメント間、または、エレメントのインスタンス間で識別する便利な方法としてここで使用される。よって、第１のエレメントと第２のエレメントの参照は、２つのエレメントのみを用いることができること、または、第１のエレメントが第２のエレメントに先行しなければならないこと、を意味しているのではない。さらに、エレメントの組み合わせのうちの少なくとも１つ（例えば、「Ａ、Ｂ、またはＣ、のうちの少なくとも１つ」）を規定する専門用語は、規定されたエレメントのうちの１つ以上（例えば、Ａ、または、Ｂ、または、Ｃ、または、これらの任意の組み合わせ）を指している。
【００２２】
［００３１］
上記で議論するように、ここで説明しているあるデバイスは、例えば、８０２．１１標準規格を実現してもよい。このようなデバイスは、ＳＴＡまたはＡＰまたは他のデバイスとして使用されようとなかろうと、スマートな計測に対して、またはスマートグリッドネットワークにおいて使用してもよい。このようなデバイスは、センサアプリケーションを提供するか、または、ホームオートメーションにおいて使用してもよい。デバイスは、ヘルスケアの文脈で、例えばパーソナルヘルスケアに対して、代わりに使用してもよく、さらに使用してもよい。デバイスは、監視のために使用して、（例えば、ホットスポットによる使用のための）拡張された範囲のインターネット接続性を可能にし、または、機械対機械通信を実現してもよい。
【００２３】
［００３２］
図１は、本開示の態様が用いられてもよい、例示的なワイヤレス通信システム１００を示している。ワイヤレス通信システム１００は、ワイヤレス標準規格、例えば、８０２．１１標準規格に準拠して、動作してもよい。ワイヤレス通信システム１００は、ＳＴＡ１０６と通信するＡＰ１０４を含んでいてもよい。
【００２４】
［００３３］
ＡＰ１０４とＳＴＡ１０６との間のワイヤレス通信システム１００における送信のために、さまざまなプロセスおよび方法を使用してもよい。例えば、ＯＦＤＭ／ＯＦＤＭＡ技術にしたがって、ＡＰ１０４とＳＴＡ１０６との間で信号を送ってもよく、受信してもよい。このケースの場合、ワイヤレス通信システム１００は、ＯＦＤＭ／ＯＦＤＭＡシステムとして呼ばれることがある。代替的に、ＣＤＭＡ技術にしたがって、ＡＰ１０４とＳＴＡ１０６との間で信号を送ってもよく、受信してもよい。このケースの場合、ワイヤレス通信システム１００は、ＣＤＭＡシステムとして呼ばれることがある。
【００２５】
［００３４］
ＡＰ１０４からＳＴＡ１０６のうちの１つ以上への送信を促進する通信リンクは、ダウンリンク（ＤＬ）１０８として呼ばれることがあり、ＳＴＡ１０６のうちの１つ以上からＡＰ１０４への送信を促進する通信リンクは、アップリンク（ＵＬ）１１０として呼ばれることがある。代替的に、ダウンリンク１０８は、フォワードリンクまたはフォワードチャネルとして呼ばれることがあり、アップリンク１１０は、リバースリンクまたはリバースチャネルとして呼ばれることがある。いくつかの態様において、ＤＬ通信は、ユニキャストまたはマルチキャストトラフィック表示を含んでいてもよい。
【００２６】
［００３５］
ＡＰ１０４が、著しいアナログデジタル変換（ＡＤＣ）クリッピングノイズを起こすことなく、１つより多くのチャネル上で同時にＵＬ通信を受信するように、ＡＰ１０４は、いくつかの態様において、隣接するチャネル干渉（ＡＣＩ）を抑制する。例えば、各チャネルに対して別々の有限インパルス応答（ＦＩＲ）フィルタを有することによって、または、増加されたビット幅によるより長いＡＤＣバックオフ周期を有することによって、ＡＰ１０４は、ＡＣＩの抑制を改善させてもよい。
【００２７】
［００３６］
ＡＰ１０４は、基地局として機能してもよく、基本サービスエリア（ＢＳＡ）１０２中にワイヤレス通信カバレッジを提供してもよい。ＡＰ１０４に関係付けられ、通信のためにＡＰ１０４を使用するＳＴＡ１０６とともにＡＰ１０４は、基本サービスセット（ＢＳＳ）として呼ばれることがある。ワイヤレス通信システム１００は、中央ＡＰ１０４を有していなくてもよく、むしろＳＴＡ１０６間のピアツーピアネットワークとして機能してもよいことに着目すべきである。したがって、ここで説明するＡＰ１０４の機能は、代替的にＳＴＡ１０６のうちの１つ以上によって実行してもよい。
【００２８】
［００３７］
ＡＰ１０４は、１つ以上のチャネル（例えば、各チャネルが周波数帯域幅を含んでいる複数の狭帯域チャネル）上で、ダウンリンク１０８のような通信リンクを介して、システム１００の他のノードＳＴＡ１０６にビーコン信号（または単に「ビーコン」）を送信してもよく、これは、他のノードＳＴＡ１０６が、ＡＰ１０４と他のノードＳＴＡ１０６とのタイミングを同期させることを助けてもよく、あるいは、他の情報または機能性を提供してもよい。このようなビーコンは、周期的に送信してもよい。１つの態様において、連続する送信間の期間は、スーパーフレームとして呼ばれることがある。ビーコンの送信は、多数のグループまたは間隔に分割してもよい。１つの態様において、ビーコンは、共通クロックを設定するためのタイムスタンプ情報、ピアツーピアネットワーク識別子、デバイス識別子、能力情報、スーパーフレーム期間、送信方向情報、受信方向情報、隣接リスト、および／または、拡張された隣接リスト、のような情報を含んでいてもよいが、これらに限定されず、これらのうちのいくつかは、以下でさらに詳細に説明する。したがって、ビーコンは、いくつかのデバイス間で共通の（例えば、共有される）情報と、所定のデバイスに特有の情報との両方を含んでいてもよい。
【００２９】
［００３８］
いくつかの態様において、ＳＴＡ１０６は、ＡＰ１０４に通信を送るために、および／または、ＡＰ１０４から通信を受信するために、ＡＰ１０４と関係付くように要求されるかもしれない。１つの態様において、関係付けのための情報は、ＡＰ１０４によるビーコンブロードキャスト中に含まれる。このようなビーコンを受信するために、ＳＴＡ１０６は、例えばカバレッジ領域に渡って、広いカバレッジサーチを実行してもよい。サーチはまた、例えば、灯台の方法で、カバレッジ領域をスイープすることによって、ＳＴＡ１０６によって実行してもよい。関係付けのための情報を受信した後、ＳＴＡ１０６は、アソシエーションプローブまたはアソシエーション要求のような基準信号を、ＡＰ１０４に送信してもよい。いくつかの態様において、ＡＰ１０４は、バックホールサービスを使用して、例えば、インターネットまたは公衆電話交換ネットワーク（ＰＳＴＮ）のような、より大きなネットワークと通信してもよい。
【００３０】
［００３９］
図２は、図１のワイヤレス通信システム１００内で用いられてもよい、ワイヤレスデバイス２０２の例示的な機能ブロックダイヤグラムを示している。ワイヤレスデバイス２０２は、ここで説明するさまざまな方法を実現するように構成されていてもよいデバイスの例である。例えば、ワイヤレスデバイス２０２は、ＡＰ１０４を、または、ＳＴＡ１０６のうちの１つを含んでいてもよい。
【００３１】
［００４０］
ワイヤレスデバイス２０２は、プロセッサ２０４を含んでいてもよく、プロセッサ２０４は、ワイヤレスデバイス２０２の動作を制御する。プロセッサ２０４は、中央処理ユニット（ＣＰＵ）としても呼ばれることがある。メモリ２０６は、リードオンリーメモリ（ＲＯＭ）とランダムアクセスメモリ（ＲＡＭ）との両方を含んでいてもよく、命令およびデータをプロセッサ２０４に提供してもよい。メモリ２０６の一部分は、不揮発性ランダムアクセスメモリ（ＮＶＲＡＭ）も含んでいてもよい。プロセッサ２０４は典型的に、メモリ２０６内に記憶されているプログラム命令に基づいて、論理および演算動作を実行する。メモリ２０６中の命令は、ここで説明する方法を実現するために実行可能であってもよい。
【００３２】
［００４１］
プロセッサ２０４は、１つ以上のプロセッサによって実現される処理システムのコンポーネントを備えていてもよく、または、１つ以上のプロセッサによって実現される処理システムのコンポーネントであってもよい。１つ以上のプロセッサは、汎用マイクロプロセッサ、マイクロ制御装置、デジタル信号プロセッサ（ＤＳＰ）、フィールドプログラマブルゲートアレイ（ＦＰＧＡ）、プログラマブル論理デバイス（ＰＬＤ）、制御装置、状態機械、ゲート論理、ディスクリートハードウェアコンポーネント、専用ハードウェア有限状態機械、あるいは、情報の計算または他の操作を実行できる他の何らかの適切なエンティティ、の任意の組み合わせにより実現してもよい。
【００３３】
［００４２］
処理システムは、ソフトウェアを記憶する機械読取可能な媒体も備えていてもよい。ソフトウェアは、ソフトウェア、ファームウェア、ミドルウェア、マイクロコード、ハードウェア記述言語、または、その他のものとして呼ばれるかにかかわらず、何らかのタイプの命令を意味するように広く解釈すべきである。命令は、（例えば、ソースコードのフォーマットの、バイナリコードフォーマットの、実行可能なコードのフォーマットの、または、コードの他の何らかの適切なフォーマットの）コードを含んでいてもよい。命令は、１つ以上のプロセッサによって実行されるときに、ここで説明するさまざまな機能を処理システムに実行させる。
【００３４】
［００４３］
ワイヤレスデバイス２０２は、ハウジング２０８も含んでいてもよく、ハウジング２０８は、ワイヤレスデバイス２０２と遠隔ロケーションとの間でデータを送信および受信できるようにする、送信機２１０および／または受信機２１２を含んでいてもよい。送信機２１０および受信機２１２は、トランシーバ２１４に組み合わせてもよい。アンテナ２１６が、ハウジング２０８に取り付けられ、電気的にトランシーバ２１４に結合されていてもよい。ワイヤレスデバイス２０２はまた、（示されていない）複数の送信機、複数の受信機、複数のトランシーバ、および／または、複数のアンテナを含んでいてもよい。
【００３５】
［００４４］
ワイヤレスデバイス２０２は、信号検出器２１８も備えていてもよく、信号検出器２１８は、トランシーバ２１４によって受信される信号のレベルを検出して定量化しようとするために使用してもよい。信号検出器２１８は、総エネルギー、シンボル当たりの副搬送波毎のエネルギー、電力スペクトル密度、および、他の信号として、このような信号を検出してもよい。ワイヤレスデバイス２０２は、信号を処理する際に使用するために、デジタル信号プロセッサ（ＤＳＰ）２２０も含んでいてもよい。ＤＳＰ２２０は、送信のためのパケットを発生させるように構成されていてもよい。いくつかの態様において、パケットは、物理レイヤデータユニット（ＰＰＤＵ）を備えていてもよい。
【００３６】
［００４５］
ワイヤレスデバイス２０２は、いくつかの態様において、ユーザインターフェース２２２をさらに備えていてもよい。ユーザインターフェース２２２は、キーパッド、マイクロフォン、スピーカー、および／または、ディスプレイを備えていてもよい。ユーザインターフェース２２２は、ワイヤレスデバイス２０２のユーザに情報を伝える、および／または、ユーザからの入力を受け取る、何らかのエレメントまたは何らかのコンポーネントを含んでいてもよい。
【００３７】
［００４６］
ワイヤレスデバイス２０２のさまざまなコンポーネントは、バスシステム２２６によって、互いに結合されていてもよい。バスシステム２２６は、データバスを含んでいてもよく、データバスに加えて、例えば、電力バス、制御信号バス、およびステータス信号バスも含んでいてもよい。他の何らかのメカニズムを使用して、ワイヤレスデバイス２０２のコンポーネントを互いに結合してもよく、または、ワイヤレスデバイス２０２のコンポーネントが入力を受け取ってもよく、または、ワイヤレスデバイス２０２のコンポーネントが入力を互いに提供してもよい。
【００３８】
［００４７］
多数の別々のコンポーネントを図２中に図示しているが、コンポーネントのうちの１つ以上を組み合わせても、または、共通して実現してもよい。例えば、プロセッサ２０４は、プロセッサ２０４に関して上記で説明した機能性を実現するためだけでなく、信号検出器２１８および／またはＤＳＰ２２０に関して上記で説明した機能性を実現するためにも使用してもよい。さらに、図２中で図示しているコンポーネントのそれぞれは、複数の別々のエレメントを使用して実現してもよい。
【００３９】
［００４８］
デュアルバンドデュアルコンカレント（ＤＢＤＣ）動作のできるＷＬＡＮデバイス（例えば、ＡＰ１０４またはＳＴＡ１０６）には、トンネリングされたダイレクトリンクセットアップ（ＴＤＬＳ）動作を活用して、複数のチャネルの使用（デュアルバンド動作）を可能にすることによって、基本サービスセット（ＢＳＳ）の改善された集約スループットが提供される。ＴＤＬＳにより、デバイスは、ワイヤレスネットワークにアクセスした後に、相互間のリンクを自動的に生成させることができるようになり、ＡＰ１０４を通してデータを送信する必要性が取り除かれ、輻輳によって生じる遅延が防がれる。
【００４０】
［００４９］
図３Ａは、実施形態にしたがった、ＴＤＬＳを使用するリンク集約の例を図示しているダイヤグラム３００である。ＤＢＤＣインプリメンテーションは、ＳＴＡ１０６が、２．４ＧＨｚ帯域および５ＧＨｚ帯域上で同時に動作することによって、より高いスループットを達成できるようにする。図３Ａを参照すると、インプリメンテーションにおいて、ＳＴＡ１０６とＡＰ１０４との間の第１のリンク（リンク１）は、１つのインターフェース（例えば、２．４ＧＨｚ帯域または５ＧＨｚ帯域）上で、ＳＴＡ１０６とＡＰ１０４とを関係付けることによって生成させてもよい。第２のリンク（リンク２）は、その後、ＳＴＡ１０６と、ＡＰ１０４内に含まれている仮想ＳＴＡ３０６との間にオフチャネルＴＤＬＳリンクを生成させることによって、別のインターフェース上で、ＳＴＡ１０６とＡＰ１０４との間に生成させてもよい。１つの態様において、仮想ＳＴＡ３０６が、最初に、ＡＰ１０４に関係付けられる。アソシエーションが成功した後に、仮想ＳＴＡ３０６は、ＳＴＡ１０６へのＴＤＬＳリンクを開始する。ＡＰ１０４と仮想ＳＴＡ３０６は、異なる媒体アクセス制御（ＭＡＣ）アドレスを有していてもよい。
【００４１】
［００５０］
図４は、実施形態にしたがった、仮想ＳＴＡ３０６とＳＴＡ１０６との間のオフチャネルＴＤＬＳリンクを生成させる例を図示しているダイヤグラム４００である。最初に、ＳＴＡ１０６とＡＰ１０４は、認証手順を実行し、ＳＴＡ１０６は、４０２において、認証要求をＡＰ１０４に送る。ＡＰ１０４は、４０４において、認証応答をＳＴＡ１０６に送ることによって応答する。認証が成功した後、ＳＴＡ１０６は、４０６において、アソシエーション要求をＡＰ１０４に送る。アソシエーション要求は、ＳＴＡ１０６がオフチャネルＴＤＬＳリンクをサポートすることができるとの表示を含んでいてもよい。ＡＰ１０４は、４０８において、アソシエーション応答をＳＴＡ１０６に送る。
【００４２】
［００５１］
ＳＴＡ１０６とＡＰ１０４との間のアソシエーションが成功した後に、ＡＰ１０４内の仮想ＳＴＡ３０６は、４１０において、ＴＤＬＳ発見要求をＡＰ１０４に送ることによって、ＳＴＡ１０６へのＴＤＬＳリンクを開始する。４１２において、ＡＰ１０４は、ＴＤＬＳ発見要求をＳＴＡ１０６に転送する。４１４において、ＳＴＡ１０６は、ＴＤＬＳリンクへの興味を示すＴＤＬＳ発見応答を仮想ＳＴＡ３０６に送る。
【００４３】
［００５２］
仮想ＳＴＡ３０６とＳＴＡ１０６は、その後、ＡＰ１０４を介してＴＤＬＳセットアップ手順を実行する。４１６において、仮想ＳＴＡ３０６は、ＴＤＬＳセットアップ要求をＡＰ１０４に送る。４１８において、ＡＰ１０４は、ＴＤＬＳセットアップ応答をＳＴＡ１０６に転送する。４２０において、ＳＴＡ１０６は、ＴＤＬＳセットアップ応答（またはＴＤＬＳセットアップ要求）をＡＰ１０４に送る。４２２において、ＡＰ１０４は、ＴＤＬＳセットアップ応答（またはＴＤＬＳセットアップ要求）を仮想ＳＴＡ３０６に転送する。
【００４４】
［００５３］
ＴＤＬＳセットアップが成功した後、４２４において、仮想ＳＴＡ３０６は、ＴＤＬＳチャネルスイッチ要求をＳＴＡ１０６に送る。４２６において、ＴＤＬＳチャネルスイッチ応答を仮想ＳＴＡ３０６に送ることによって、ＳＴＡ１０６は応答する。４２８において、ＡＰ１０４とＳＴＡ１０６との間のデータ送信および／またはデータ受信が、１つのチャネル（例えば、２．４ＧＨｚ帯域または５ＧＨｚ帯域）上で生じてもよい一方で、仮想ＳＴＡ３０６とＳＴＡ１０６との間のデータ送信および／またはデータ受信が、ＴＤＬＳリンクを介して、同時にオフチャネル上で生じてもよい。
【００４５】
［００５４］
図３Ｂは、実施形態にしたがった、ＴＤＬＳを使用するリンク集約の例を図示しているダイヤグラム３５０である。図３Ｂを参照すると、ＳＴＡ１０６とＡＰ１０４との間の第１のリンク（リンク１）は、１つのインターフェース（例えば、２．４ＧＨｚ帯域または５ＧＨｚ帯域）上で、ＳＴＡ１０６とＡＰ１０４とを関係付けることによって生成させることができる。第２のリンク（リンク２）は、その後、ＳＴＡ１０６と、ＡＰ１０４内に含まれている仮想ＳＴＡ３０６との間にオフチャネルＴＤＬＳリンクを生成させることによって、別のインターフェース上で、ＳＴＡ１０６とＡＰ１０４との間に生成させてもよい。外部ネットワークにリンクされてもよいゲートウェイ３０８に、ＡＰ１０４が接続されていてもよい。
【００４６】
［００５５］
インプリメンテーションにおいて、ＳＴＡ１０６からのすべてのアップリンクトラフィック（アップリンクデータ）は、第１のリンク（リンク１）を通して流れる。ＳＴＡ１０６におけるアドレス解決プロトコル（ＡＲＰ）テーブルは、ゲートウェイ３０８のレイヤ２アドレスにデータを送るために、すべてのアップリンクＩＰアドレスを翻訳してもよい。８０２．１１ＭＡＣレイヤが、ＡＰ１０４のＭＡＣアドレス（基本サービスセットＩＤ（ＢＳＳＩＤ））を埋めてもよい。
【００４７】
［００５６］
ダウンリンクトラフィック（ダウンリンクデータ）は、第１のリンク（リンク１）または第２のリンク（リンク２）を通して流れてもよい。インプリメンテーションにおいて、ダウンリンクデータは、ダウンリンクストリームとアップリンクストリームとの間の低減されたコンテンションを確実にするようにリンクのうちの１つを通して流れるように制限されていてもよい。例えば、所定の送信制御プロトコル（ＴＣＰ）のダウンリンクデータフレームは、第２のリンク（リンク２）３１０に制限されていてもよく、対応するアップリンクＴＣＰ肯定応答（ＡＣＫ）は、第１のリンク（リンク１）を介して送られてもよい。
【００４８】
［００５７］
さらなるインプリメンテーションにおいて、アップリンクデータは、第２のリンク（リンク２）３１２を通して流れてもよい。アップリンクデータが第２のリンク３１２を通して流れることができるように、ＡＰ１０４は、仮想ＳＴＡ３０６のＭＡＣアドレスを、ゲートウェイ３０８のＭＡＣアドレスに設定してもよい。第２のリンク（リンク２）セットアップを有するＳＴＡ１０６は、その後、第２のリンク（リンク２）３１２を使用して、ＡＰ１０４に対するアップリンクデータフレームを自動的に転送するだろう。代替的に、アップリンクデータが、第２のリンク３１２を通して流れることができるように、ＳＴＡ１０６におけるＡＲＰテーブルを使用してもよい。例えば、ＡＲＰテーブル中のゲートウェイＩＰアドレスが、仮想ＳＴＡ３０６のＭＡＣアドレスを指すように設定されてもよい。ＳＴＡ１０６は、その後、ＡＰ１０４に対するすべてのアップリンクトラフィックを第２のリンク（リンク２）３１２にシフトするだろう。
【００４９】
［００５８］
図５は、実施形態にしたがった、複数帯域アソシエーションを使用するリンク集約の例を図示しているダイヤグラム５００である。図５を参照すると、ＳＴＡ１０６は、複数の帯域（例えば、２．４ＧＨｚ帯域と５ＧＨｚ帯域；または、ベースチャネルと２次チャネル）上で、ＡＰ１０４と通信することができる。インプリメンテーションにおいて、ＳＴＡ１０６とＡＰ１０４は、異なる帯域上で独立して関係付けられてもよい。ＳＴＡ１０６は、独立したアソシエーションの両方がＳＴＡ１０６に属していることを示してもよい。ＩＰアドレスを、ベースチャネル上で取得してもよい。アドレス解決プロトコル（ＡＲＰ）キャッシュは、ベースチャネルＭＡＣアドレスに関して実行してもよい。ＡＰ１０４は、ダウンリンクフローに対して、どのチャネル（ベースチャネルまたは２次チャネル）を使用するかを決定してもよい。
【００５０】
［００５９］
インプリメンテーションにおいて、ＳＴＡ１０６は、標準規格アソシエーションプロトコルを使用して、各帯域においてＡＰ１０４に関係付けられるかもしれない。これは、認証およびキー導出を含んでいてもよい。第２の帯域における第２のアソシエーションは、ＡＰ１０４からのメッセージによってトリガされるかもしれない。代替的に、ＡＰ１０４からのデュアルバンド能力の表示に基づいて第２のアソシエーションを実行するように、ＳＴＡ１０６が自律的に決定してもよい。ＡＰ１０４からのデュアルバンド能力は、例えば、プローブ応答、アソシエーション応答、またはビーコンを介して示されるかもしれない。
【００５１】
［００６０］
さらなるインプリメンテーションにおいて、ＡＰ１０４（またはＳＴＡ１０６）は、独立したアソシエーションをバインディングして、２．４ＧＨｚ帯域（２．４ＧＨｚリンク）と５ＧＨｚ帯域（５ＧＨｚリンク）とを介してデータを通信することによって、システムスループットを集約してもよい。例えば、データの少なくとも第１の部分が２．４ＧＨｚリンクを介して通信され、データの少なくとも第２の部分が５ＧＨｚリンクを介して通信されるように、独立したアソシエーションをバインディングしてもよい。
【００５２】
［００６１］
態様において、ＡＰ１０４は、バインディングされている２．４ＧＨｚリンクと５ＧＨｚリンクとが、同一のＳＴＡ１０６に確実に関係付けられるようにしてもよい。例えば、ＡＰ１０４は、２．４ＧＨｚ帯域上でのアソシエーションの間に、ＳＴＡ１０６とのシークレットトークンを生成させてもよい。その後、ＡＰ１０４は、５ＧＨｚ帯域上でのアソシエーションの間に、シークレットトークンの知識を確認する、ＳＴＡ１０６からのメッセージを受信するかもしれない。５ＧＨｚ帯域を介したシークレットトークンの確認の際に、ＡＰ１０４は、２．４ＧＨｚリンクと５ＧＨｚリンクとが同一のＳＴＡ１０６に確実に関係付けられるようにする。代替的に、ＡＰ１０４は、２．４ＧＨｚリンクと５ＧＨｚリンクとを介してデータを通信するために同一の媒体アクセス制御（ＭＡＣ）アドレスを利用して、２つのリンクが同一のＳＴＡ１０６に確実に関係付けられるようにしてもよい。
【００５３】
［００６２］
インプリメンテーションにおいて、帯域のうちの１つ（２．４ＧＨｚ帯域または５ＧＨｚ帯域）における接続が、データが利用可能でない限り活動停止状態のままである（が、関係付けられている状態にある）ことが許容される場合に、より高い電力効率を取得できる。例えば、配信トラフィック表示メッセージ（ＤＴＩＭ）間隔が、５ＧＨｚ帯域上でより大きくなってもよい。ＡＰ１０４は、２．４ＧＨｚ帯域上でメッセージを送ることによって、５ＧＨｚ帯域上で起動をトリガしてもよい。メッセージは、５ＧＨｚ帯域上でのトラフィック利用可能性を示してもよい。さらに、メッセージは、２．４ＧＨｚ帯域を介して送信されるビーコン中に含まれていてもよい。ＳＴＡ１０６は、スケジューリングされていない自動電力セーブ配信（Ｕ−ＡＰＳＤ）トリガ動作を使用して、５ＧＨｚ帯域上でデータを取り出してもよい。
【００５４】
［００６３］
図６は、実施形態にしたがった、複数帯域を介してＡＰ１０４とＳＴＡ１０６とを関係付け（リンクさせ）、複数アソシエーション（リンク）をバインディングする例を図示しているダイヤグラム６００である。最初に、ＳＴＡ１０６とＡＰ１０４は、２．４ＧＨｚ帯域を介して認証手順を実行し、ＳＴＡ１０６は、６０２において、認証要求をＡＰ１０４に送る。ＡＰ１０４は、６０４において、認証応答をＳＴＡ１０６に送ることによって応答する。認証が成功した後、ＳＴＡ１０６は、６０６において、２．４ＧＨｚ帯域におけるアソシエーション要求をＡＰ１０４に送る。６０８において、ＡＰ１０４は、アソシエーション応答をＳＴＡ１０６に送る。アソシエーション応答は、ＡＰ１０４が追加的なチャネル（例えば、５ＧＨｚ帯域）をサポートすることができるとの表示を含んでいてもよい。６１０において、ＳＴＡ１０６とＡＰ１０４は、２．４ＧＨｚ帯域に対するキー導出を実行する。２．４ＧＨｚ帯域に対するキー導出は、ＡＰ１０４とＳＴＡ１０６のみに知られているシークレットトークン（例えば、暗号化されたトークン）の生成を含んでいてもよい。
【００５５】
［００６４］
ＡＰ１０４とＳＴＡ１０６との間の２．４ＧＨｚ帯域におけるアソシエーションが成功した後に、ＡＰ１０４は、６１２において、５ＧＨｚ帯域におけるアソシエーションをトリガしてもよい。６１４において、ＳＴＡ１０６は、５ＧＨｚ帯域における認証要求をＡＰ１０４に送る。６１６において、ＡＰ１０４は、認証応答をＳＴＡ１０６に送ることによって応答する。認証が成功した後、ＳＴＡ１０６は、６１８において、５ＧＨｚ帯域におけるアソシエーション要求をＡＰ１０４に送る。６２０において、ＡＰ１０４は、アソシエーション応答をＳＴＡ１０６に送る。６２２において、ＳＴＡ１０６とＡＰ１０４は、５ＧＨｚ帯域に対するキー導出を実行する。５ＧＨｚに対するキー導出は、２．４ＧＨｚ帯域におけるＳＴＡ１０６とのアソシエーションの間に生成されたシークレットトークン（例えば、暗号化されたトークン）の、ＡＰ１０４による受信を含んでいてもよい。ＡＰ１０４によるシークレットトークンの受信は、ＳＴＡ１０６によるシークレットトークンの知識を確認する。シークレットトークンの受信は、ＳＴＡ１０６との２．４ＧＨｚアソシエーションが、ＳＴＡ１０６との５ＧＨｚアソシエーションに適切にバインディングされてもよいことを、ＡＰ１０４にさらに示す。６２４において、ＡＰ１０４とＳＴＡ１０６との間の５ＧＨｚ帯域におけるアソシエーションが成功した後、ＳＴＡ１０６がシークレットトークンを認識しているとの確認に基づいて、ＡＰ１０４は、２．４ＧＨｚアソシエーションと５ＧＨｚアソシエーションとをバインディングしてもよい。
【００５６】
［００６５］
図７は、ワイヤレス通信の例示的な方法７００のフローチャートである。方法７００は、装置（例えば、図２のワイヤレスデバイス２０２）を使用して実行してもよい。装置は、例えば、ＳＴＡ１０６またはＡＰ１０４として実現してもよい。図２のワイヤレスデバイス２０２のエレメントに関してプロセス７００を以下に説明するが、他のコンポーネントを使用してここで説明するステップのうちの１つ以上を実現してもよい。
【００５７】
［００６６］
ブロック７０５において、装置は、第１の帯域（例えば、２．４ＧＨｚ帯域）を介して、第２の装置との第１のリンクを確立してもよい。例えば、装置と第２の装置との間の第１のリンクは、標準規格アソシエーションプロトコルを介して確立され第１の媒体アクセス制御（ＭＡＣ）アドレスに関係付けられているリンクであってもよい。第１のリンクを確立することは、第１のリンクに対する第１の暗号化キーを確立することを含んでいてもよい。ブロック７１０において、装置は、トンネリングプロトコル（例えば、ＴＤＬＳプロトコル）を使用して、第２の帯域（例えば、５ＧＨｚ帯域）を介して、第２の装置との第２のリンク（例えば、ＴＤＬＳリンク）を確立してもよい。第２のリンクは、第２のＭＡＣアドレスに関係付けられていてもよい。第２のリンクを確立することは、第２のリンクに対する第２の暗号化キーを確立することを含んでいてもよい。トンネリングプロトコルは、第１のリンクを使用して、第２のリンクを確立するかもしれない。第１のリンクを確立することと、第２のリンクを確立することは、例えば、プロセッサ２０４、送信機２１０、および／または受信機２１２によって実行してもよい。
【００５８】
［００６７］
ＡＰ（例えば、ＡＰ１０４）として装置が実現されるときは、プロセス７００はブロック７１５に進む。ブロック７１５において、装置は、第１のリンクまたは第２のリンクのうちの少なくとも１つを介して、第２の装置からアップリンクデータを受信する。その後、ブロック７２０において、装置は、第１のリンクまたは第２のリンクのうちの少なくとも１つを介して、第２の装置に対してダウンリンクデータを提供（例えば、送信）する。アップリンクデータを受信することは、例えば、プロセッサ２０４および／または受信機２１２によって実行してもよい。ダウンリンクデータを提供することは、例えば、プロセッサ２０４および／または送信機２１０によって実行してもよい。
【００５９】
［００６８］
態様において、第１のリンクを介して受信されるアップリンクデータ、または、第１のリンクを介して提供されるダウンリンクデータは、第１のＭＡＣアドレス（例えば、ＡＰ  ＭＡＣアドレス）を含んでいるかもしれない。第２のリンクを介して受信されるアップリンクデータ、または、第２のリンクを介して提供されるダウンリンクデータは、第２のＭＡＣアドレス（例えば、ＡＰ中に含まれている仮想ＳＴＡのＭＡＣアドレス）を含んでいるかもしれない。
【００６０】
［００６９］
さらなる態様において、第２のリンクに関係付けられている第２のＭＡＣアドレスは、第１のリンクに基づいて第２の装置に提供してもよい。例えば、第２の装置におけるＡＲＰテーブル中のゲートウェイＩＰアドレスは、ＡＰ中に含まれている仮想ＳＴＡのＭＡＣアドレスを指してもよい。第２のリンクを介して第２の装置から受信されるアップリンクデータは、提供される第２のＭＡＣアドレスを含んでいてもよい。
【００６１】
［００７０］
別の態様において、装置は、ゲートウェイ（例えば、ゲートウェイ３０８）に接続されていてもよい。したがって、ブロック７１５において実行される受信することは、第２のリンクに関係付けられているＭＡＣアドレスを、ゲートウェイのＭＡＣアドレスに設定することを含んでいるかもしれない。したがって、アップリンクデータは、第２のリンクを介して第２の装置から受信されてもよく、ゲートウェイのＭＡＣアドレスを含んでいるかもしれない。
【００６２】
［００７１］
ＳＴＡ（例えば、ＳＴＡ１０６）として装置が実現されるときは、プロセス７００は、ブロック７１０からブロック７２５に進む。ブロック７２５において、装置は、第１のリンクまたは第２のリンクのうちの少なくとも１つを介して、第２の装置に対してアップリンクデータを提供（例えば、送信）する。その後、ブロック７３０において、装置は、第１のリンクまたは第２のリンクのうちの少なくとも１つを介して、第２の装置からダウンリンクデータを受信する。アップリンクデータを提供することは、例えば、プロセッサ２０４および／または送信機２１０によって実行してもよい。ダウンリンクデータを受信することは、例えば、プロセッサ２０４および／または受信機２１２によって実行してもよい。
【００６３】
［００７２］
態様において、第１のリンクを介して提供されるアップリンクデータ、または、第１のリンクを介して受信されるダウンリンクデータは、第１のＭＡＣアドレス（例えば、ＡＰ  ＭＡＣアドレス）を含んでいるかもしれない。第２のリンクを介して提供されるアップリンクデータ、または、第２のリンクを介して受信されるダウンリンクデータは、第２のＭＡＣアドレス（例えば、ＡＰ中に含まれている仮想ＳＴＡのＭＡＣアドレス）を含んでいるかもしれない。
【００６４】
［００７３］
別の態様において、第２のリンクに関係付けられている第２のＭＡＣアドレスは、第１のリンクに基づいて識別される。例えば、装置におけるＡＲＰテーブル中のゲートウェイＩＰアドレスは、ＡＰ中に含まれている仮想ＳＴＡのＭＡＣアドレスを指してもよい。第２のリンクを介して第２の装置に提供されるアップリンクデータは、識別される第２のＭＡＣアドレスを含んでいてもよい。さらなる態様において、第２の装置は、ゲートウェイ（例えば、ゲートウェイ３０８）に接続されていてもよい。したがって、アップリンクデータは、第２のリンクを介して第２の装置に提供され、ゲートウェイのＭＡＣアドレスを含んでいるかもしれない。
【００６５】
［００７４］
図８は、ワイヤレス通信の例示的な方法８００のフローチャートである。方法８００は、装置（例えば、図２のワイヤレスデバイス２０２）を使用して実行してもよい。装置は、例えば、ＳＴＡ１０６またはＡＰ１０４として実現してもよい。図２のワイヤレスデバイス２０２のエレメントに関してプロセス８００を以下に説明するが、他のコンポーネントを使用してここで説明するステップのうちの１つ以上を実現してもよい。プロセス８００の機能のうちの任意の１つは、図７のブロック７０５、７１０、７１５、７２０、７２５、および７３０に関して上記で議論した機能のうちのいずれかと組み合わせて、または、いずれかに対する代替として、実行してもよい。
【００６６】
［００７５］
ブロック８０５において、装置は、第１の帯域（例えば、２．４ＧＨｚ帯域）を介して、第２の装置との第１のアソシエーションを実行して、第１のリンクを確立してもよい。ブロック８１０において、装置は、第２の帯域（例えば、５ＧＨｚ帯域）を介して、第２の装置との第２のアソシエーションを実行して、第２のリンクを確立してもよい。ブロック８１５において、装置は、第１のリンクを第２のリンクにバインディングして、第１の帯域と第２の帯域とを介して、第２の装置とデータを通信（例えば、第２の装置からデータを受信、および／または、第２の装置にデータを提供）してもよい。態様において、データの少なくとも第１の部分は、第１の帯域を介して通信され、データの少なくとも第２の部分は、第２の帯域を介して通信される。第１のアソシエーションを実行して第１のリンクを確立すること、第２のアソシエーションを実行して第２のリンクを確立すること、および、第１のリンクを第２のリンクにバインディングすることは、例えば、プロセッサ２０４、送信機２１０、および／または受信機２１２によって実行してもよい。
【００６７】
［００７６］
インプリメンテーションにおいて、第１のアソシエーションを実行して第１の帯域を介して第１のリンクを確立するときに、暗号化されたトークンを生成させてもよい。したがって、バインディングすることは、暗号化されたトークンの知識を確認する、第２の装置からのメッセージを、第２の帯域を介して受信することを含んでもよい。代替的に、バインディングは、第１の帯域と第２の帯域とを介してデータを通信するために、同一の媒体アクセス制御（ＭＡＣ）アドレスを利用することを含んでいてもよい。
【００６８】
［００７７］
図９は、例示的なワイヤレス通信デバイス９００の機能ブロックダイヤグラムである。ワイヤレス通信デバイス９００は、第１の帯域を介して第２のデバイスとの第１のリンクを確立するようにと、トンネリングプロトコルを使用して、第２の帯域を介して第２のデバイスとの第２のリンクを確立するように構成されている受信機９０５、処理システム９１０、および送信機９１５を含んでいてもよく、トンネリングプロトコルは、第１のリンクを使用して、第２のリンクを確立する。受信機９０５は、第１のリンクまたは第２のリンクのうちの少なくとも１つを介して、第２のデバイスからアップリンク／ダウンリンクデータを受信するように構成されていてもよい。送信機９１５は、第１のリンクまたは第２のリンクのうちの少なくとも１つを介して、第２のデバイスにアップリンク／ダウンリンクデータを提供するように構成されていてもよい。さらに、受信機９０５、処理システム９１０、および送信機９１５は、第１の帯域を介して第２のデバイスとの第１のアソシエーションを実行して第１のリンクを確立するようにと、第２の帯域を介して第２の装置との第２のアソシエーションを実行して第２のリンクを確立するようにと、第１のリンクを第２のリンクにバインディングして、第１の帯域と第２の帯域とを介して第２のデバイスとデータを通信するように構成されていてもよい。さらに、受信機９０５、処理システム９１０、および／または送信機９１５は、図７のブロック７０５、７１０、７１５、７２０、７２５、および７３０に、ならびに、図８のブロック８０５、８１０、および８１５に関して上記で議論した１つ以上の機能を実行するように構成されていてもよい。受信機９０５は、受信機２１２に対応していてもよい。処理システム９１０は、プロセッサ２０４に対応していてもよい。送信機９１５は、送信機２１０に対応していてもよい。
【００６９】
［００７８］
さらに、第１の帯域を介して第２の装置との第１のリンクを確立する手段、トンネリングプロトコルを使用して、第２の帯域を介して第２の装置との第２のリンクを確立し、トンネリングプロトコルは、第１のリンクを使用して第２のリンクを確立する手段、第１の帯域を介して第２の装置との第１のアソシエーションを実行して第１のリンクを確立する手段、第２の帯域を介して第２の装置との第２のアソシエーションを実行して第２のリンクを確立する手段、および、第１のリンクを第２のリンクにバインディングして、第１の帯域と第２の帯域とを介して第２の装置とデータを通信する手段は、受信機９０５、処理システム９１０、および／または、送信機９１５を備えていてもよい。第１のリンクまたは第２のリンクのうちの少なくとも１つを介して、第２の装置からアップリンクデータを受信する手段と、第１のリンクまたは第２のリンクのうちの少なくとも１つを介して、第２の装置からダウンリンクデータを受信する手段は、受信機９０５を備えていてもよい。第１のリンクまたは第２のリンクのうちの少なくとも１つを介して、ダウンリンクデータを第２の装置に提供する手段と、第１のリンクまたは第２のリンクのうちの少なくとも１つを介して、アップリンクデータを第２の装置に提供する手段は、送信機９１５を備えていてもよい。
【００７０】
［００７９］
ここで使用したような、アイテムのリスト「のうちの少なくとも１つ」を指すフレーズは、単一のメンバーを含む、これらのアイテムの任意の組み合わせを指す。例として、「Ａ、Ｂ、またはＣ、のうちの少なくとも１つ」は、ＡまたはＢまたはＣ、あるいは、これらの任意の組み合わせ（例えば、Ａ−Ｂ、Ａ−Ｃ、Ｂ−Ｃ、およびＡ−Ｂ−Ｃ）をカバーすることを意図している。
【００７１】
［００８０］
上記で説明した方法のさまざまな動作は、さまざまなハードウェアおよび／またはソフトウェアコンポーネント、回路、ならびに／あるいはモジュールのような、動作を実行することが可能な何らかの適切な手段によって実行してもよい。一般的に、図面中に図示した何らかの動作は、動作を実行することが可能な対応する機能手段によって実行してもよい。
【００７２】
［００８１］
本開示に関連して説明した、さまざまな例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、ディスクリートゲートまたはトランジスタ論理、ディスクリートハードウェアコンポーネント、あるいは、ここで説明した機能を実行するように設計されているこれらの任意の組み合わせで実現してもよい、または、実行してもよい。汎用プロセッサはマイクロプロセッサであってもよいが、代替において、プロセッサは、何らかの商業的に入手可能なプロセッサ、制御装置、マイクロ制御装置、または状態機械であってもよい。プロセッサはまた、例えば、ＤＳＰとマイクロプロセッサとの組み合わせ、複数のマイクロプロセッサ、ＤＳＰコアに関連する１つ以上のマイクロプロセッサ、または、他の何らかのこのようなコンフィギュレーションのような、コンピューティングデバイスの組み合わせとして実現してもよい。
【００７３】
［００８２］
１つ以上の態様において、説明されている機能は、ハードウェア、ソフトウェア、ファームウェア、またはそれらの任意の組み合わせにおいて実現してもよい。ソフトウェアで実現する場合、機能は、１つ以上の命令またはコードとしてコンピュータ読取可能な媒体上に記憶されてもよく、あるいは、１つ以上の命令またはコードとしてコンピュータ読取可能な媒体上で送信されてもよい。コンピュータ読取可能な媒体は、１つの場所から別の場所へのコンピュータプログラムの転送を促進する任意の媒体を含む、コンピュータ記憶媒体および通信媒体の両方を含んでいる。記憶媒体は、コンピュータによってアクセスできる何らかの利用可能な媒体であってもよい。限定ではなく例として、このようなコンピュータ読取可能な媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいは、命令またはデータ構造の形態で所望のプログラムコードを運ぶまたは記憶するために使用できコンピュータによってアクセスできる他の何らかの媒体を含むことができる。また、任意の接続は、コンピュータ読取可能な媒体と適切に呼ばれる。例えば、ウェブサイトから、サーバから、あるいは、同軸ケーブル、光ファイバケーブル、ツイストペア線、デジタル加入者線（ＤＳＬ）、または、赤外線や、無線や、マイクロ波のようなワイヤレス技術を使用している他の遠隔ソースからソフトウェアが送信される場合、同軸ケーブル、光ファイバケーブル、ツイストペア線、ＤＳＬ、または、赤外線や、無線や、マイクロ波のようなワイヤレス技術は、媒体の定義に含まれる。ここで使用したようなディスク（Ｄｉｓｋおよびｄｉｓｃ）は、コンパクトディスク（ＣＤ）、レーザディスク（登録商標）、光ディスク、デジタル汎用ディスク（ＤＶＤ）、フロッピー（登録商標）ディスク、およびブルーレイ（登録商標）ディスクを含むが、ディスク（ｄｉｓｋ）は、普通、データを磁気的に再生する一方で、ディスク（ｄｉｓｃ）は、レーザによりデータを光学的に再生する。したがって、いくつかの態様において、コンピュータ読取可能な媒体は、一時的ではないコンピュータ読取可能な媒体（例えば、有形の媒体）を含んでもよい。さらに、いくつかの態様において、コンピュータ読取可能な媒体は、一時的なコンピュータ読取可能な媒体（例えば、信号）を含んでいてもよい。上記の組み合わせもまた、コンピュータ読取可能な媒体の範囲内に含まれるべきである。
【００７４】
［００８３］
ここで開示した方法は、説明した方法を達成するための１つ以上のステップまたはアクションを含んでいる。方法のステップおよび／またはアクションは、特許請求の範囲から逸脱することなく互いに交換してもよい。言い換えると、ステップまたはアクションの特定の順序が指定されていない限り、特定のステップおよび／またはアクションの順序および／または使用は、特許請求の範囲から逸脱することなく修正してもよい。
【００７５】
［００８４］
説明した機能は、ハードウェア、ソフトウェア、ファームウェア、または、これらの任意の組み合わせにおいて実現してもよい。ソフトウェアにおいて実現する場合、機能は、コンピュータ読取可能な媒体上で１つ以上の命令として記憶させてもよい。記憶媒体は、コンピュータによってアクセスできる何らかの利用可能な媒体であってもよい。限定ではなく例として、このようなコンピュータ読取可能な媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいは、命令またはデータ構造の形態で所望のプログラムコードを運ぶまたは記憶するために使用できコンピュータによってアクセスできる他の何らかの媒体を含むことができる。ここで使用したような、ディスク（Ｄｉｓｋおよびｄｉｓｃ）は、コンパクトディスク（ＣＤ）、レーザディスク、光ディスク、デジタル汎用ディスク（ＤＶＤ）、フロッピーディスク、およびブルーレイディスクを含むが、ディスク（ｄｉｓｋ）は、普通、磁気的にデータを再生する一方で、ディスク（ｄｉｓｃ）は、レーザにより光学的にデータを再生する。
【００７６】
［００８５］
したがって、ある態様は、ここで提示した動作を実行するためのコンピュータプログラムプロダクトを含んでいてもよい。例えば、このようなコンピュータプログラムプロダクトは、その上に記憶されている（および／またはエンコードされている）命令を有するコンピュータ読取可能な媒体を含んでいてもよく、命令は、１つ以上のプロセッサによって、ここで説明した動作を実行するように実行可能である。ある態様に対して、コンピュータプログラムプロダクトは、パッケージングマテリアルを含んでいてもよい。
【００７７】
［００８６］
ソフトウェアまたは命令はまた、送信媒体を通して送信できる。例えば、同軸ケーブル、光ファイバケーブル、ツイストペア線、デジタル加入者回線（ＤＳＬ）、あるいは、赤外線、無線、およびマイクロ波のようなワイヤレス技術を使用して、ウェブサイト、サーバ、または他の遠隔ソースからソフトウェアが送信される場合、同軸ケーブル、光ファイバケーブル、ツイストペア線、ＤＳＬ、あるいは、赤外線、無線、およびマイクロ波のようなワイヤレス技術は、送信媒体の定義中に含まれる。
【００７８】
［００８７］
さらに、ここで説明した方法および技術を実行するモジュールおよび／または他の適切な手段を、ユーザ端末および／または基地局によって、適宜、ダウンロードできる、および／または、そうでなければ取得できることを、正しく認識すべきである。例えば、このようなデバイスは、ここで説明した方法を実行する手段の転送を促進するようにサーバに結合できる。代替的に、記憶手段をデバイスに結合または提供する際に、ユーザ端末および／または基地局がさまざまな方法を取得することができるように、ここで説明したさまざまな方法を、記憶手段（例えば、ＲＡＭ、ＲＯＭ、コンパクトディスク（ＣＤ）またはフロッピーディスクのような物理記憶媒体等）を介して提供することができる。さらに、ここで説明した方法および技術をデバイスに提供するための他の何らかの適切な技術を利用することができる。
【００７９】
［００８８］
特許請求の範囲は、上記で示した正確なコンフィギュレーションおよびコンポーネントに限定されないことを理解すべきである。上記で説明した方法および装置のアレンジメント、動作、および詳細において、さまざまな改良、変更、およびバリエーションを特許請求の範囲から逸脱することなく行ってもよい。
【００８０】
［００８９］
上記は本開示の態様に向けられているが、本開示の他の態様およびさらなる態様が、その基本的な範囲から逸脱することなく考案することができ、その範囲は、下記の特許請求の範囲によって決定される。
【００８１】
［００９０］
先の説明は、ここで説明したさまざまな態様を当業者が実施することができるように提供している。これらの態様に対するさまざま改良が当業者に容易に明らかとなり、ここで規定した一般的な原理を他の態様に適用してもよい。したがって、特許請求の範囲は、ここで示した態様に限定されることを意図しているのではなく、言語的な特許請求の範囲と一貫した全範囲を与えられるべきである。単数形のエレメントに対する参照は、特にそのように述べていない限り「１つ、および、１つのみ」を意味するのではなく、むしろ、「１つ以上」を意味するように意図している。特に別の方法で述べていない限り、用語「いくつか」は１つ以上を指す。当業者に知られているまたは後に知られるようになる、本開示全体を通して説明したさまざまな態様のエレメントに対するすべての構造上および機能上の均等物は、参照によってここに明示的に組み込まれ、特許請求の範囲によって含まれるように意図している。さらに、ここで開示するものは、そのような開示が特許請求の範囲において明示的に規定されているか否かにかかわらず、公開専用であることを意図するものではない。フレーズ「ための手段」を使用してエレメントを明白に規定していない限り、または、方法の請求項のケースにおいて、フレーズ「ためのステップ」を使用してエレメントを規定していない限り、請求項のどのエレメントも、３５Ｕ．Ｓ．Ｃ．§１１２（ｆ）の提供のもとで解釈されるべきでない。
以下に、本願出願の当初の特許請求の範囲に記載された発明を付記する。
［１］ワイヤレス通信のための装置において、
第１の帯域を介して、第２の装置との第１のリンクを確立するようにと、
トンネリングプロトコルを使用して、第２の帯域を介して、前記第２の装置との第２のリンクを確立するようにと、
前記第１のリンクまたは前記第２のリンクのうちの少なくとも１つを介して、前記第２の装置からデータを受信するようにと、
前記第１のリンクまたは前記第２のリンクのうちの少なくとも１つを介して、前記第２の装置にデータを提供するように構成されている処理システムを具備し、
前記第１のリンクは、第１の媒体アクセス制御（ＭＡＣ）アドレスに関係付けられ、
前記トンネリングプロトコルは、前記第１のリンクを使用して、前記第２のリンクを確立し、前記第２のリンクは、第２のＭＡＣアドレスに関係付けられ、
前記第１のリンクを介して受信されるデータ、または、前記第１のリンクを介して提供されるデータは、前記第１のＭＡＣアドレスを含み、
前記第２のリンクを介して受信されるデータ、または、前記第２のリンクを介して提供されるデータは、前記第２のＭＡＣアドレスを含む装置。
［２］前記処理システムは、
前記第１のリンクに対する第１の暗号化キーを確立することによって、前記第１のリンクを確立するようにと、
前記第２のリンクに対する第２の暗号化キーを確立することによって、前記第２のリンクを確立するように構成されている［１］記載の装置。
［３］前記第２のリンクに関係付けられている前記第２のＭＡＣアドレスは、前記第１のリンクを介して、前記第２の装置に提供されるか、または、前記第２の装置から受信される［１］記載の装置。
［４］前記装置は、ゲートウェイに接続されるように構成されており、
前記処理システムは、前記第２のリンクに関係付けられている前記第２のＭＡＣアドレスを前記ゲートウェイのＭＡＣアドレスに設定することによって、受信するように、または、提供するように構成されており、
前記第２のリンクを介して、前記第２の装置から受信されるデータ、または、前記第２の装置に提供されるデータは、前記ゲートウェイの前記ＭＡＣアドレスを含む［１］記載の装置。
［５］前記処理システムは、
前記第１のリンクを前記第２のリンクにバインディングして、前記第１の帯域と前記第２の帯域とを介して、前記第２の装置から前記データを受信するように、または、前記第２の装置に前記データを提供するようにさらに構成されている［１］記載の装置。
［６］前記データの少なくとも第１の部分は、前記第１の帯域を介して受信されるか、または、前記第１の帯域を介して提供され、前記データの少なくとも第２の部分は、前記第２の帯域を介して受信されるか、または、前記第２の帯域を介して提供される［５］記載の装置。
［７］前記処理システムは、暗号化されたトークンを作成することによって、前記第１のリンクを確立するように構成されており、
前記処理システムは、前記暗号化されたトークンの知識を確認するメッセージを、前記第２の装置から、前記第２の帯域を介して受信することによって、バインディングするように構成されている［５］記載の装置。
［８］前記処理システムは、前記第１の帯域と前記第２の帯域とを介して、前記データを受信するために、または、前記データを提供するために、同一のＭＡＣアドレスを利用することによって、バインディングするように構成されている［５］記載の装置。
［９］装置におけるワイヤレス通信の方法において、
第１の帯域を介して、第２の装置との第１のリンクを確立することと、
トンネリングプロトコルを使用して、第２の帯域を介して、前記第２の装置との第２のリンクを確立することと、
前記第１のリンクまたは前記第２のリンクのうちの少なくとも１つを介して、前記第２の装置からデータを受信することと、
前記第１のリンクまたは前記第２のリンクのうちの少なくとも１つを介して、前記第２の装置にデータを提供することとを含み、
前記第１のリンクは、第１の媒体アクセス制御（ＭＡＣ）アドレスに関係付けられ、
前記トンネリングプロトコルは、前記第１のリンクを使用して、前記第２のリンクを確立し、前記第２のリンクは、第２のＭＡＣアドレスに関係付けられ、
前記第１のリンクを介して受信されるデータ、または、前記第１のリンクを介して提供されるデータは、前記第１のＭＡＣアドレスを含み、
前記第２のリンクを介して受信されるデータ、または、前記第２のリンクを介して提供されるデータは、前記第２のＭＡＣアドレスを含む方法。
［１０］前記第１のリンクを確立することは、前記第１のリンクに対する第１の暗号化キーを確立することを含み、
前記第２のリンクを確立することは、前記第２のリンクに対する第２の暗号化キーを確立することを含む［９］記載の方法。
［１１］前記第２のリンクに関係付けられている前記第２のＭＡＣアドレスは、前記第１のリンクを介して、前記第２の装置に提供されるか、または、前記第２の装置から受信される［９］記載の方法。
［１２］前記装置は、ゲートウェイに接続されるように構成されており、
前記受信すること、または、前記提供することは、
前記第２のリンクに関係付けられている前記第２のＭＡＣアドレスを前記ゲートウェイのＭＡＣアドレスに設定することを含み、
前記第２のリンクを介して、前記第２の装置から受信されるデータ、または、前記第２の装置に提供されるデータは、前記ゲートウェイの前記ＭＡＣアドレスを含む［９］記載の方法。
［１３］前記第１のリンクを前記第２のリンクにバインディングして、前記第１の帯域と前記第２の帯域とを介して、前記第２の装置から前記データを受信することを、または、前記第２の装置に前記データを提供することをさらに含む［９］記載の方法。
［１４］前記データの少なくとも第１の部分は、前記第１の帯域を介して受信されるか、または、前記第１の帯域を介して提供され、前記データの少なくとも第２の部分は、前記第２の帯域を介して受信されるか、または、前記第２の帯域を介して提供される［１３］記載の方法。
［１５］前記第１のリンクを確立することは、暗号化されたトークンを作成することを含み、
前記バインディングすることは、前記暗号化されたトークンの知識を確認するメッセージを、第２の装置から、前記第２の帯域を介して受信することを含む［１３］記載の方法。
［１６］前記バインディングすることは、前記第１の帯域と前記第２の帯域とを介して、前記データを受信すること、または、前記データを提供することのために、同一のＭＡＣアドレスを利用することを含む［１３］記載の方法。
［１７］装置におけるワイヤレス通信のためのコンピュータプログラムプロダクトにおいて、前記コンピュータプログラムプロダクトは、
第１の帯域を介して、第２の装置との第１のリンクを確立するための実行可能な命令と、
トンネリングプロトコルを使用して、第２の帯域を介して、前記第２の装置との第２のリンクを確立するための実行可能な命令と、
前記第１のリンクまたは前記第２のリンクのうちの少なくとも１つを介して、前記第２の装置からデータを受信するための実行可能な命令と、
前記第１のリンクまたは前記第２のリンクのうちの少なくとも１つを介して、前記第２の装置にデータを提供するための実行可能な命令とを有するコンピュータ読取可能な媒体を具備し、
前記第１のリンクは、第１の媒体アクセス制御（ＭＡＣ）アドレスに関係付けられ、
前記トンネリングプロトコルは、前記第１のリンクを使用して、前記第２のリンクを確立し、前記第２のリンクは、第２のＭＡＣアドレスに関係付けられ、
前記第１のリンクを介して受信されるデータ、または、前記第１のリンクを介して提供されるデータは、前記第１のＭＡＣアドレスを含み、
前記第２のリンクを介して受信されるデータ、または、前記第２のリンクを介して提供されるデータは、前記第２のＭＡＣアドレスを含むコンピュータプログラムプロダクト。
［１８］ワイヤレス通信のためのワイヤレスノードにおいて、
少なくとも１つのアンテナと、
第１の帯域を介して、第２のワイヤレスノードとの第１のリンクを、前記少なくとも１つのアンテナを介して確立するようにと、
トンネリングプロトコルを使用して、第２の帯域を介して、前記第２のワイヤレスノードとの第２のリンクを、前記少なくとも１つのアンテナを介して確立するようにと、
前記少なくとも１つのアンテナを使用して、前記第１のリンクまたは前記第２のリンクのうちの少なくとも１つを介して、前記第２のワイヤレスノードからデータを受信するようにと、
前記少なくとも１つのアンテナを使用して、前記第１のリンクまたは前記第２のリンクのうちの少なくとも１つを介して、前記第２のワイヤレスノードにデータを提供するように構成されている処理システムとを具備し、
前記第１のリンクは、第１の媒体アクセス制御（ＭＡＣ）アドレスに関係付けられ、
前記トンネリングプロトコルは、前記第１のリンクを使用して、前記第２のリンクを確立し、前記第２のリンクは、第２のＭＡＣアドレスに関係付けられ、
前記第１のリンクを介して受信されるデータ、または、前記第１のリンクを介して提供されるデータは、前記第１のＭＡＣアドレスを含み、
前記第２のリンクを介して受信されるデータ、または、前記第２のリンクを介して提供されるデータは、前記第２のＭＡＣアドレスを含むワイヤレスノード。
【図１】
0006316983.tif 000002
【図２】
0006316983.tif 000003
【図３Ａ】
0006316983.tif 000004
【図３Ｂ】
0006316983.tif 000005
【図４】
0006316983.tif 000006
【図５】
0006316983.tif 000007
【図６】
0006316983.tif 000008
【図７】
0006316983.tif 000009
【図８】
0006316983.tif 000010
【図９】
0006316983.tif 000011